(57)【要約】【課題】  本願発明は、生体情報を検出する生体情報計測装置であって、特に、耳介への安定な装着が容易な生体情報計測装置を提供することを目的とする。【解決手段】  本発明の生体情報計測装置は、例えば耳珠を挟み込んで生体情報を検出する生体センサを有する生体情報検出部と、耳介を挟み込むようにして固定する固定部とを、接続部を介して接続することにより生体の測定対象とする位置へ的確に接触させ、安定に生体情報を検出する。また、前記生体センサとして発光素子と受光素子を備えれば、発光素子により生体へ光を照射し、照射した光が生体で散乱した光又は生体を透過した光を受光素子で受光することにより、例えば脈波を高精度に検出したり、前記センサをカフに内蔵して、生体を押圧する状態における生体情報、例えば血圧を継続的に測定できる生体情報検出装置を提供することができる。【選択図】図１
2006102158.tif 000002
【特許請求の範囲】
【請求項１】
Ｕ字型又はＶ字型で対向するようにそれぞれの一端が支軸で接続された１対のアーム及び前記一対のアームのうち少なくとも一方のアームの他端であって前記一対のアームの対向する側に生体情報を検出する生体センサを有する生体情報検出部と、
生体を挟み込んで固定する固定部と、
前記アームの前記一端と前記クリップの前記先端部とを接続する接続部と、
を備える生体情報検出装置。
【請求項２】
Ｕ字型又はＶ字型で対向するようにそれぞれの一端が支軸で接続された１対のアーム及び前記一対のアームのうち少なくとも一方のアームの他端であって前記一対のアームの対向する側に生体情報を検出する生体センサを有する生体情報検出部と、
持ち手を解放することによりクリップの対向する２つの先端部で挟み込んで固定する固定部と、
前記アームの前記一端と前記クリップの前記先端部とを接続する接続部と、
を備える生体情報検出装置。
【請求項３】
前記接続部は、前記生体情報検出部と前記固定部との間の距離を可変にする距離可変機構を含むことを特徴とする請求項１又は２に記載の生体情報検出装置。
【請求項４】
前記距離可変機構は、距離の可変を一時的に制限するラッチ機構を有することを特徴とする請求項３に記載の生体情報検出装置。
【請求項５】
前記接続部は、前記接続部と前記固定部との接続点及び前記接続部と前記生体情報検出部との接続点の少なくとも１箇所に、前記生体情報検出部と前記固定部との角度を可変にする角度可変機構を含むことを特徴とする請求項１から４に記載のいずれかの生体情報検出装置。
【請求項６】
前記接続部は、前記接続部と前記固定部との接続点及び前記接続部と前記生体情報検出部との接続点の間に、前記生体情報検出部と前記固定部との角度を可変にする角度可変機構を含むことを特徴とする請求項１から４に記載のいずれかの生体情報検出装置。
【請求項７】
前記角度可変機構は、角度の可変を一時的に制限するラッチ機構を有することを特徴とする請求項５又は６に記載の生体情報検出装置。
【請求項８】
前記接続部は、前記生体情報検出部と前記固定部とのねじり角を可変にするねじり角可変機構を含むことを特徴とする請求項１から７に記載のいずれかの生体情報検出装置。
【請求項９】
前記ねじり角可変機構は、ねじり角の可変を一時的に制限するラッチ機構を有することを特徴とする請求項８に記載の生体情報検出装置。
【請求項１０】
前記接続部は、可塑性の材料で構成されていることを特徴とする請求項１から９に記載のいずれかの生体情報検出装置。
【請求項１１】
前記固定部は、前記クリップの前記対向する２つの先端部のうち少なくとも一方の先端部であって前記先端部の対向する側に突起部を有することを特徴とする請求項１から１０に記載のいずれかの生体情報検出装置。
【請求項１２】
前記固定部は、前記生体情報検出部に接続される信号線又は空気パイプを保持する保持機構を含むことを特徴とする請求項１から１１に記載のいずれかの生体情報検出装置。
【請求項１３】
前記固定部は、前記生体情報検出部に電力を供給する電源機構を含むことを特徴とする請求項１から１２に記載のいずれかの生体情報検出装置。
【請求項１４】
前記生体センサは、外部に光を照射する発光素子と、前記照射された光が外部で散乱した光又は外部を透過した光を受光する受光素子と、を含むことを特徴とする請求項１から１３に記載のいずれかの生体情報検出装置。
【請求項１５】
前記生体センサは、空気によって膨張するカフと、当該カフに内蔵され外部に光を照射する発光素子と、前記カフに内蔵され前記照射された光が外部で散乱した光を受光する受光素子と、を含むことを特徴とする請求項１から１３に記載のいずれかの生体情報検出装置。
【請求項１６】
前記生体センサは、前記１対のアームにそれぞれ配置され空気によって膨張するカフと、前記一方のカフに内蔵され外部に光を照射する発光素子と、前記他方のカフに内蔵され前記照射された光が外部を透過した光を受光する受光素子と、を含むことを特徴とする請求項１から１３に記載のいずれかの生体情報検出装置。
【発明の詳細な説明】
【技術分野】
【０００１】
本発明は、生体情報を検出する生体センサを備える生体情報検出装置に関する。
【背景技術】
【０００２】
高齢化が進み、成人の生活習慣病への対応が社会的に大きな課題となっている。特に高血圧に関連する疾患の場合、長期の血圧データの収集が非常に重要である点が認識されている。このような観点から、血圧をはじめとした各種の生体情報の計測装置が開発されている。
【０００３】
従来、外耳で生体情報を計測する装置については、外耳道に挿入され、常時装着する患者モニタ装置がある（例えば、特許文献１参照。）。これは、脈拍、脈波、心電、体温、動脈血酸素飽和度、及び血圧などを生体内へ放射した赤外光、可視光の散乱光の受光量から計算できるとしている。
【０００４】
また、外耳道に装着する装置としては、無線通信手段を有し、動脈血酸素飽和濃度センサ、体温センサ、心電センサ、脈波センサを備えている緊急情報装置がある（例えば、特許文献２参照。）。
【０００５】
一方、血圧の測定に関しては、血管の脈動波形による血圧測装置は、他の方式であるカフ振動法や容積補償法などによる血圧測定装置（例えば、非特許文献１参照。）と並んで、有力な血圧の測定方法として認められている。なお、本明細書において、外耳の名称は非特許文献２及び３による。
【特許文献１】特開平９−１２２０８３号公報
【特許文献２】特開平１１−１２８１７４号公報
【非特許文献１】山越  憲一、戸川  達男著、「生体センサと計測装置」、日本エム・イー学会編／ＭＥ教科書シリーズ  Ａ−１、３９頁〜５２頁
【非特許文献２】Ｓｏｂｏｔｔａ  図説人体解剖学第１巻（監訳者：岡本道雄）、ｐ．１２６、（株）医学書院、１９９６年１０月１日発行
【非特許文献３】からだの地図帳（Ｔｈｅ  Ａｔｌａｓ  ｏｆ  Ｈｕｍａｎ  Ｂｏｄｙ）、ｐ．２０、（株）講談社、２００４年１月２９日第３５刷発行
【発明の開示】
【発明が解決しようとする課題】
【０００６】
従来技術においては生体へ照射した赤外光、あるいは可視光が生体により散乱された散乱光を受光して脈拍、脈波、心電などの生体情報の血圧測定が述べられているが、耳への固定手段がなく、安定に生体情報を計測できない欠点があった。
【０００７】
あるいは、耳への固定が不十分であり継続的に安定に生体情報を測定できないという課題があった。
【０００８】
そこで、本発明は、従来技術における上記の課題を解決し、生体に安定して装着でき、継続的に生体情報を検出できる生体情報検出装置を提供することを目的とする。
【課題を解決するための手段】
【０００９】
上記課題を解決するために、本発明の生体情報検出装置は、例えば耳珠を挟み込んで生体情報を検出する生体センサを有する生体情報検出部と、耳介を挟み込むようにして固定する固定部とを、接続部を介して接続することにより生体の測定対象とする位置へ的確に接触させ、安定に生体情報を検出する。また、前記生体センサとして発光素子と受光素子を備えれば、発光素子により生体へ光を照射し、照射した光が生体で散乱した光又は生体を透過した光を受光素子で受光することにより、例えば脈波を高精度に検出したり、前記センサをカフに内蔵して、生体を押圧する状態における生体情報、例えば血圧を継続的に測定できる生体情報検出装置を提供することができる。
【００１０】
具体的には、本発明は、Ｕ字型又はＶ字型で対向するようにそれぞれの一端が支軸で接続された１対のアーム及び前記一対のアームのうち少なくとも一方のアームの他端であって前記一対のアームの対向する側に生体情報を検出する生体センサを有する生体情報検出部と、生体を挟み込んで固定する固定部と、前記アームの前記一端と前記クリップの前記先端部とを接続する接続部と、を備える生体情報検出装置である。
【００１１】
また、本発明は、Ｕ字型又はＶ字型で対向するようにそれぞれの一端が支軸で接続された１対のアーム及び前記一対のアームのうち少なくとも一方のアームの他端であって前記一対のアームの対向する側に生体情報を検出する生体センサを有する生体情報検出部と、持ち手を解放することによりクリップの対向する２つの先端部で挟み込んで固定する固定部と、前記アームの前記一端と前記クリップの前記先端部とを接続する接続部と、を備える生体情報検出装置である。
【００１２】
上記のように、本発明の生体情報検出装置は、前記固定部を生体の一部、例えば耳介に固定し、前記固定部はＵ字型又はＶ字型のアームの対向する内側に生体センサを設ける生体情報検出部を、接続部を介して保持し、前記生体センサを生体の測定対象とする位置に的確に接触させることにより、安定に生体情報を検出することができる。
【００１３】
本発明の生体情報検出装置では、前記接続部は、前記生体情報検出部と前記固定部との間の距離を可変にする距離可変機構を含む生体情報検出装置としてもよい。
【００１４】
上記のように、本発明の生体情報検出装置は、前記接続部が前記生体情報検出部と前記固定部との間の距離を可変にする距離可変機構を含むことにより、前記固定部を生体の一部、例えば耳介に固定し、前記距離可変機能により前記生体情報検出部と前記固定部との距離を調整することにより、前記生体情報検出部の前記生体センサを生体の測定対象とする位置に的確に接触させて、安定に生体情報を検出することができる。
【００１５】
本発明の生体情報検出装置では、前記距離可変機構は、距離の可変を一時的に制限するラッチ機構を有する生体情報検出装置としてもよい。
【００１６】
上記のように、本発明の生体情報検出装置は、前記距離可変機構が距離の可変を一時的に制限するラッチ機構を有する生体情報検出装置とすることにより、前記固定部を生体の一部、例えば耳介に固定し、前記距離可変機能により前記生体情報検出部と前記固定部との距離を調整し、前記生体情報検出部の前記生体センサを生体の測定対象とする位置に的確に接触させた状態で、前記ラッチ機構により前記距離可変機構が距離の可変を一時的に制限して固定し、その後、生体の姿勢の変化などにより前記生体情報検出部と前記固定部との距離を再度調整する必要が生じた場合、前記ラッチ機構により前記距離可変機構が距離の可変を一時的に制限した状態を解除し、前記生体情報検出部と前記固定部との距離を前記距離可変機構により再調整することにより、円滑に状況の変化に対応して、前記生体センサを生体の測定対象とする位置に的確に接触させ、安定に生体情報を検出することができる。
【００１７】
本発明の生体情報検出装置では、前記接続部は、前記接続部と前記固定部との接続点及び前記接続部と前記生体情報検出部との接続点の少なくとも１箇所に、前記生体情報検出部と前記固定部との角度を可変にする角度可変機構を含む生体情報検出装置としてもよい。
【００１８】
上記のように、本発明の生体情報検出装置は、前記接続部が、前記接続部と前記固定部との接続点及び前記接続部と前記生体情報検出部との接続点の少なくとも１箇所に、前記生体情報検出部と前記固定部との角度を可変にする角度可変機構を含むことにより、前記固定部を生体の一部、例えば耳介に固定し、前記角度可変機構により前記生体情報検出部と前記固定部との相対的な角度を調整して、前記生体センサを生体の測定対象とする位置に的確に接触させることにより、安定に生体情報を検出することができる。
【００１９】
本発明の生体情報検出装置では、前記接続部は、前記接続部と前記固定部との接続点及び前記接続部と前記生体情報検出部との接続点の間に、前記生体情報検出部と前記固定部との角度を可変にする角度可変機構を含む生体情報検出装置としてもよい。
【００２０】
上記のように、本発明の生体情報検出装置は、前記接続部が、前記接続部と前記固定部との接続点及び前記接続部と前記生体情報検出部との接続点の間に、前記生体情報検出部と前記固定部との角度を可変にする角度可変機構を含むことにより、前記固定部を生体の一部、例えば耳介に固定し、前記角度可変機構により前記生体情報検出部と前記固定部との相対的な角度を調整して、前記生体センサを生体の測定対象とする位置に的確に接触させることにより、安定に生体情報を検出することができる。
【００２１】
本発明の生体情報検出装置では、前記角度可変機構は、角度の可変を一時的に制限するラッチ機構を有する生体情報検出装置としてもよい。
【００２２】
上記のように、本発明の生体情報検出装置は、前記角度可変機構が角度の可変を一時的に制限するラッチ機構を有することにより、前記固定部を生体の一部、例えば耳介に固定し、前記角度可変機構により前記生体情報検出部と前記固定部との相対的な角度を調整し、前記生体情報検出部の前記生体センサを生体の測定対象とする位置に的確に接触させた状態で、前記ラッチ機構により前記角度可変機構が角度の可変を一時的に制限して固定し、その後生体の姿勢の変化などにより前記生体情報検出部と前記固定部との角度を再度調整する必要が生じた場合、前記ラッチ機構により前記角度可変機構が角度の可変を一時的に制限した状態を解除し、前記生体情報検出部と前記固定部との相対的な角度を前記角度可変機構により再調整することにより、円滑に状況の変化に対応して、前記生体センサを生体の測定対象とする位置に的確に接触させ、安定に生体情報を検出することができる。
【００２３】
本発明の生体情報検出装置では、前記接続部は、前記生体情報検出部と前記固定部とのねじり角を可変にするねじり角可変機構を含む生体情報検出装置としてもよい。
【００２４】
上記のように、本発明の生体情報検出装置は、前記接続部が前記生体情報検出部と前記固定部とのねじり角を可変にするねじり角可変機構を含むことにより、前記固定部を生体の一部、例えば耳介に固定し、前記ねじり角可変機構により前記生体情報検出部と前記固定部とのねじり角を調整して、前記生体情報検出部の前記生体センサを生体の測定対象とする位置に的確に接触させることにより、安定に生体情報を検出することができる。
【００２５】
本発明の生体情報検出装置では、前記ねじり角可変機構は、ねじり角の可変を一時的に制限するラッチ機構を有する生体情報検出装置としてもよい。
【００２６】
上記のように、本発明の生体情報検出装置は、前記ねじり角可変機構は、ねじり角の可変を一時的に制限するラッチ機構を有することにより、前記固定部を生体の一部、例えば耳介に固定し、前記ねじり角可変機構により前記生体情報検出部と前記固定部とのねじり角を調整し、前記生体情報検出部の前記生体センサを生体の測定対象とする位置に的確に接触させた状態で、前記ラッチ機構により前記ねじり角可変機構がねじり角の可変を一時的に制限して固定し、その後生体の姿勢の変化などにより前記生体情報検出部と前記固定部とのねじり角を再度調整する必要が生じた場合、前記ラッチ機構により前記ねじり角可変機構がねじり角の可変を一時的に制限した状態を解除し、前記生体情報検出部と前記固定部とのねじり角を前記ねじり角可変機構により再調整することにより、円滑に状況の変化に対応して、前記生体センサを生体の測定対象とする位置に的確に接触させ、安定に生体情報を検出することができる。
【００２７】
本発明の生体情報検出装置では、前記接続部は、可塑性の材料で構成されている生体情報検出装置としてもよい。
【００２８】
上記のように、本発明の生体情報検出装置は、前記接続部を可塑性の材料で構成することにより、前記生体情報検出部と前記固定部との距離、相対的な角度、ねじり角を調整して、前記生体センサを生体の測定対象とする位置に的確に接触させ、安定に生体情報を検出することができる。
【００２９】
本発明の生体情報検出装置では、前記固定部は、前記クリップの前記対向する２つの先端部のうち少なくとも一方の先端部であって前記先端部の対向する側に突起部を有する生体情報検出装置としてもよい。
【００３０】
上記のように、本発明の生体情報検出装置は、前記固定部は、前記クリップの前記対向する２つの先端部のうち少なくとも一方の先端部であって前記先端部の対向する側に突起部を有することにより、生体の一部、例えば耳介に装着する場合、前記突起部により前記固定部と耳介の間の距離を一定に保ち、かつ前記固定部の振動を防止できるので、前記生体センサを生体の測定対象とする位置に的確に接触させ、安定に生体情報を検出することができる。
【００３１】
本発明の生体情報検出装置では、前記固定部は、前記生体情報検出部に接続される信号線又は空気パイプを保持する保持機構を含む生体情報検出装置としてもよい。
【００３２】
上記のように、本発明の生体情報検出装置は、前記固定部に前記生体情報検出部に接続される信号線又は空気パイプを保持する保持機構を含むことにより、前記生体情報検出部が検出した情報を伝達する前記信号線又は生体情報検出部に空気を給排気する空気パイプを前記固定部に固定し、前記信号線又は空気パイプを保護して、前記生体センサは生体情報を安定に検出することができる。
【００３３】
本発明の生体情報検出装置では、前記固定部は、前記生体情報検出部に電力を供給する電源機構を含む生体情報検出装置としてもよい。
【００３４】
上記のように、本発明の生体情報検出装置は、前記固定部が前記生体情報検出部に電力を供給する電源機構を含むことにより、外部からの給電なしに、継続的に生体情報を検出することができる。
【００３５】
本発明の生体情報検出装置では、前記生体センサは、外部に光を照射する発光素子と、前記照射された光が外部で散乱した光又は外部を透過した光を受光する受光素子と、を含む生体情報検出装置としてもよい。
【００３６】
上記のように、本発明の生体情報検出装置は、前記生体センサが、外部に光を照射する発光素子と、前記照射された光が外部で散乱した光又は外部を透過した光を受光する受光素子と、を含むことにより、前記発光素子により外部、すなわち生体へ光を照射し、照射された光が生体で散乱した光又は生体を透過した光を前記受光素子により受光し、生体の動脈の脈波、あるいは生体の動脈内の血流などの生体情報を高精度に検出することができる。
【００３７】
本発明の生体情報検出装置では、前記生体センサは、空気によって膨張するカフと、当該カフに内蔵され外部に光を照射する発光素子と、前記カフに内蔵され前記照射された光が外部で散乱した光を受光する受光素子と、を含む生体情報検出装置としてもよい。
【００３８】
上記のように、本発明の生体情報検出装置は、前記生体情報検出部の一方のアームの対向する側に、外部に光を照射する発光素子と、前記照射された光が外部で散乱した光を受光する受光素子と、前記発光素子及び前記受光素子を内蔵するカフと、を有することにより、前記カフにより生体を圧迫する状態において、前記発光素子により外部、すなわち生体へ光を照射し、照射された光が前記生体で散乱した散乱光を前記受光素子で受光し、前記生体の動脈の脈波、あるいは生体の動脈内の血流などの生体情報を高精度に検出することにより、例えば、前記生体の血圧を高精度に測定することができる。
【００３９】
本発明の生体情報検出装置では、前記生体センサは、前記１対のアームにそれぞれ配置され空気によって膨張するカフと、前記一方のカフに内蔵され外部に光を照射する発光素子と、前記他方のカフに内蔵され前記照射された光が外部を透過した光を受光する受光素子と、を含む生体情報検出装置としてもよい。
【００４０】
上記のように、本発明の生体情報検出装置は、前記生体情報検出部のアームの一方の対向する側に、外部に光を照射する発光素子を内蔵するカフを有し、他方のアームの対向する側に前記照射された光が外部で散乱した光を受光する受光素子を内蔵するカフを有することにより、前記カフにより生体を圧迫する状態において、前記発光素子により外部、すなわち生体へ光を照射し、照射した光が前記生体で散乱した光を前記受光素子で受光し、前記生体の動脈の脈波、あるいは生体の動脈内の血流などの生体情報を高精度に検出することにより、例えば前記生体の血圧を高精度に測定することができる。
【発明の効果】
【００４１】
本発明によれば、生体に固定した固定部により生体センサを前記生体の測定対象とする位置へ的確に接触させ、かつ個人の体型の差及び姿勢の変化に対応して、固定部と生体センサの距離、角度、ねじり角を調整し、さらに調整した状態を一時的に固定し、かつ解除する機能を備えて繰り返し調整可能であり、安定に生体情報を検出できる生体情報検出装置を提供できる。
【００４２】
さらに、前記生体情報検出装置は生体センサを発光素子と受光素子を内蔵するカフとすることにより、例えば、人体の耳介を挟み込むように装着することにより、血圧などの生体情報を、継続的にかつ高精度に測定できる生体情報検出装置を提供できる。
【発明を実施するための最良の形態】
【００４３】
添付の図面を参照して本発明の実施の形態を説明する。以下に説明する実施の形態は本発明の構成の例であり、本発明は、以下の実施の形態に制限されるものではない。
【００４４】
本実施の形態の生体情報検出装置は、Ｕ字型又はＶ字型で対向するようにそれぞれの一端が支軸で接続された１対のアーム及び前記一対のアームのうち少なくとも一方のアームの他端であって前記一対のアームの対向する側に生体情報を検出する生体センサを有する生体情報検出部と、生体を挟み込んで固定する固定部と、前記アームの前記一端と前記クリップの前記先端部とを接続する接続部と、を備える生体情報検出装置である。特に、前記固定部は、持ち手を解放することによりクリップの対向する２つの先端部で挟み込んで固定することが望ましい。
【００４５】
本実施の形態の生体情報検出装置について、添付の図を参照して説明する。図１は本実施の形態の生体情報検出装置の構成を示す図である。
【００４６】
図１において、生体情報検出装置５は生体情報検出部１０、固定部３０、接続部４０により構成され、生体情報検出部１０はアーム１１、アーム１２、生体センサ１３、生体センサ１４により構成され、固定部３０は持ち手３１、持ち手３２、クリップ３３、クリップ３４、クッション５１、クッション５２により構成される。
【００４７】
生体情報検出部１０のアーム１１とアーム１２はＶ字型で対向するように対をなし、それぞれの一端が支軸で接続され、アーム１１とアーム１２の少なくとも一方の他端であってアーム１１とアーム１２の対向する側に生体情報を検出する生体センサ１３又は生体センサ１４を有する。図１においてはアーム１１とアーム１２の各々に生体センサ１３と生体センサ１４を設けた場合を示しているが、少なくとも生体センサ１３と生体センサ１４の一方が設けられていればよい。ここで、生体センサ１３及び生体センサ１４の信号線などの通常の技術により実現できる部分は表示していない。
【００４８】
図１において、アーム１１及びアーム１２はＶ字型で対向する面に生体センサ１３と生体センサ１４の一方を保持し、それぞれの一端が接続される支軸を中心にアーム１１及びアーム１２がなす角度を変化させて生体センサ１３及び生体センサ１４を測定対象とする生体へ接触させる機能を有する。
【００４９】
生体センサ１３及び生体センサ１４は、例えば脈波、あるいは血流などの生体情報を検出する機能を有する。
【００５０】
固定部３０は持ち手３１及び持ち手３２を押さえた後で解放することにより、クリップ３３及びクリップ３４の先端部で生体の一部を挟み込んで固定する機能を有し、さらに固定部３０は接続部４０を介して生体情報検出部１０を保持して、生体情報検出部１０を前記生体の測定対象とする部分へ接触させる機能を有する。図１において、クリップ３３及びクリップ３４の対向する面の各々には、クッション５１及びクッション５２が設けられ、クッション５１及びクッション５２は生体との接触感を快適に保つ機能を有する。
【００５１】
接続部４０は生体情報検出部１０と固定部３０を接続する機能を有する。
【００５２】
図２は図１に示す生体情報検出装置５を耳介に装着した状態を示す図であり、生体情報検出部１０は耳珠２を挟むように装着し、固定部３０は耳介の耳輪３を挟むように固定している状態を示している。図２において、生体情報検出装置５は図１の上方、すなわちアーム１１及びクリップ３３の方向から見た形状を示している。
【００５３】
図２を用いて本実施の形態の生体情報検出装置５の動作を説明する。本実施の形態の生体情報検出装置５の生体情報検出部１０のアーム１１及びアーム１２の対向する面に設ける生体センサ１３及び生体センサ１４を、例えば耳珠２に接するようにアーム１１及びアーム１２の角度を調整して装着する。さらに固定部３０の持ち手３１と持ち手３２を持ってクリップ３３及びクリップ３４の角度を拡大し、例えば耳輪３を適切に挟む位置で持ち手３１及び持ち手３２を開放することによりクリップ３３及びクリップ３４により耳輪３を挟んで固定部３０を固定する。
【００５４】
上記においては、生体センサ１３及び生体センサ１４を装着した後に、固定部３０を固定する場合を説明したが、先に固定部３０を固定して、その後生体センサ１３及び生体センサ１４を装着してもよい。
【００５５】
以上説明したように、生体センサ１３及び生体センサ１４を装着し、固定部３０を固定する結果、固定部３０は接続部４０を介して生体情報検出部１０の位置を安定に固定する状態となり、生体情報検出装置５は生体センサ１３又は／及び生体センサ１４により、例えば、脈波などの生体情報を安定に検出することができる。
【００５６】
本実施の形態の生体情報検出装置は、前記接続部が、前記生体情報検出部と前記固定部との間の距離を可変にする距離可変機構を含む生体情報検出装置としてもよい。
【００５７】
本実施の形態の生体情報検出装置について、添付の図を参照して説明する。図３は本実施の形態の生体情報検出装置の構成を示す図である。
【００５８】
図３において、本実施の形態の生体情報検出装置５は、図１により説明した実施の形態の生体情報検出装置５の接続部４０が距離可変機構４１含む場合であり、距離可変機構４１以外の部分の構成、機能、動作は図１により説明した生体情報検出装置５と同様である。
【００５９】
図３に示す、距離可変機構４１は、接続部４０を中間で分割して接続部４０の一方を円筒とし、接続部４０の他方を前記円筒より口径の小さな円筒として、接続部４０の一方の円筒の中に、接続部４０の口径の小さな他方の円筒を挿入しスライドさせて出し入れすることにより長さを可変にする構成としてもよい。
【００６０】
距離可変機構４１は、接続部４０の長さを、図３に矢印で示す方向へ可変にすることにより、生体情報検出部１０と固定部３０との距離を可変にする機能を有する。
【００６１】
図３を用いて本実施の形態の生体情報検出装置５の動作を説明する。本実施の形態の生体情報検出装置５は、図１により説明した実施の形態の生体情報検出装置５の動作の、生体情報検出部１０を装着する過程、あるいは固定部３０を固定する過程において、接続部４０の距離可変機構４１により生体情報検出部１０と固定部３０との距離を調整することにより、生体情報検出部１０を的確に生体の測定対象とする位置に接触させて保持する。
【００６２】
以上説明したように、本実施の形態の生体情報検出装置５は、生体情報検出部１０を装着するとき、あるいは固定部３０を固定するときに、接続部４０の距離可変機構４１により生体情報検出部１０と固定部３０との距離を調整することができるので、生体情報検出部１０を的確に生体の測定対象とする位置に接触させて保持することにより、安定に生体情報を検出することができる。
【００６３】
本実施の形態の生体情報検出装置は、前記距離可変機構が、距離の可変を一時的に制限するラッチ機構を有する生体情報検出装置としてもよい。
【００６４】
本実施の形態の生体情報検出装置について、添付の図を参照して説明する。図４は本実施の形態の生体情報検出装置の構成を示す図である。
【００６５】
図４において、本実施の形態の生体情報検出装置５は図３により説明した実施の形態の生体情報検出装置５の距離可変機構４１がラッチ機構４２を含む場合であり、ラッチ機構４２以外の構成、機能、動作は図３により説明した生体情報検出装置５と同様である。
【００６６】
図４に示す、ラッチ機構４２は、ネジ付きのピンで構成し、接続部４０の口径の大きな円筒の中に口径の小さな円筒を挿入しスライドさせて出し入れすることにより接続部４０の長さを可変する距離可変機構４１に対して、前記口径の大きな円筒の外部からネジ機構によりピンを回転させて挿入して、内部の口径の小さな円筒との摩擦により、距離可変機構４１の距離可変機能を一時的に制限して、一時的に接続部４０の長さを固定する構成としてもよい。
【００６７】
ラッチ機構４２は接続部４０の距離可変機構４１の距離可変機能を一時的に制限し、一時的に生体情報検出部１０と固定部３０の距離を固定する機能を有する。
【００６８】
図４を用いて本実施の形態の生体情報検出装置５の動作を説明する。本実施の形態の生体情報検出装置５は、図３により説明した実施の形態の生体情報検出装置５の動作の、生体情報検出部１０を装着する過程、あるいは固定部３０を固定する過程において、接続部４０の距離可変機構４１により生体情報検出部１０と固定部３０との距離を調整した状態で、ラッチ機構４２により距離可変機構４１の距離可変機能を一時的に制限し、生体情報検出部１０と固定部３０との距離を一時的に固定する。上記のようにラッチ機構４２により生体情報検出部１０と固定部３０との距離を一時的に固定した後で、生体の姿勢の変化などにより、生体情報検出部１０と固定部３０との距離を再度調整する必要が生じた場合、ラッチ機構４２により距離可変機構４１の距離を一時的に固定する状態を解除して、生体情報検出部１０と固定部３０との距離を再度調整することにより、固定部３０は生体情報検出部１０を的確に生体の測定対象とする位置に保持する。
【００６９】
以上説明したように、本実施の形態の生体情報検出装置５は、生体情報検出部１０と固定部３０との距離を調整した状態で、ラッチ機構４２により生体情報検出部１０と固定部３０との距離を一時的に固定し、その後、生体の姿勢の変化などにより再度調整する必要が生じた場合、生体情報検出部１０と固定部３０との距離の一時的な固定を解除して、再調整できるので、生体情報検出部１０を生体の測定対象とする位置に的確に接触させて保持することにより、安定に生体情報を検出することができる。
【００７０】
本実施の形態の生体情報検出装置は、前記接続部は、前記接続部と前記固定部との接続点及び前記接続部と前記生体情報検出部との接続点の少なくとも１箇所に、前記生体情報検出部と前記固定部との角度を可変にする角度可変機構を含む生体情報検出装置としてもよい。
【００７１】
本実施の形態の生体情報検出装置について、添付の図を参照して説明する。本実施の形態の生体情報検出装置の前記角度可変機構は図１から図４により説明した実施の形態の生体情報検出装置に適用可能であるが、代表例として、図４により説明した実施の形態の生体情報検出装置に適用した場合の構成を説明する。
【００７２】
本実施の形態の生体情報検出装置は、前記接続部が、前記接続部と前記固定部との接続点及び前記接続部と前記生体情報検出部との接続点の少なくとも１箇所に、前記生体情報検出部と前記固定部との角度を可変にする角度可変機構を含む生体情報検出装置であるが、ここでは、前記接続部が、前記接続部と前記固定部との接続点及び前記接続部と前記生体情報検出部との接続点に、前記生体情報検出部と前記固定部との角度を可変にする角度可変機構を含む場合を例に説明する。
【００７３】
図５は本実施の形態の生体情報検出装置の構成を示す図である。図５において、本実施の形態の生体情報検出装置５は、図４により説明した実施の形態の生体情報検出装置５が、接続部４０と固定部３０との接続点及び接続部４０と生体情報検出部１０との接続点に、角度可変機構３５及び角度可変機構４３を含む場合であり、角度可変機構３５及び角度可変機構４３以外の部分の構成、機能、動作は図４により説明した実施の形態の生体情報検出装置５と同様である。
【００７４】
図５に示す、角度可変機構３５は接続部４０と固定部３０のクリップ３３との間を回転軸で接続することにより接続部４０と固定部３０のクリップ３３との角度を可変とする構成とし、また角度可変機構４３は接続部４０と生体情報検出部１０のアーム１２との間を回転軸で接続することにより接続部４０とアーム１２との間の角度を可変とする構成としてもよい。
【００７５】
角度可変機構３５は接続部４０と固定部３０のクリップ３３との角度を、図５の矢印Ａで示す方向に可変とする機能を有し、また角度可変機構４３は接続部４０と生体情報検出部１０のアーム１２との間の角度を、図５の矢印Ａで示す方向に可変とする機能を有する。
【００７６】
図５を用いて本実施の形態の生体情報検出装置５の動作を説明する。本実施の形態の生体情報検出装置５は、図１から図４により説明した実施の形態の生体情報検出装置５の動作の、生体情報検出部１０を装着する過程、あるいは固定部３０を固定する過程において、角度可変機構３５及び角度可変機構４３により、各々接続部４０と固定部３０との角度及び接続部４０と生体情報検出部１０との角度を調整することにより、固定部３０と生体情報検出部１０との角度を調整し、固定部３０は生体情報検出部１０を的確に生体の測定対象とする位置に保持する。
【００７７】
以上においては、本実施の形態の生体情報検出装置５が、接続部４０と固定部３０との接続点及び接続部４０と生体情報検出部１０との接続点に、角度可変機構３５及び角度可変機構４３を含む場合について説明したが、本実施の形態の生体情報検出装置５が、接続部４０と固定部３０との接続点又は接続部４０と生体情報検出部１０との接続点のいずれか１箇所に、角度可変機構３５又は角度可変機構４３を含む場合は、本実施の形態の生体情報検出装置５は角度可変機構３５又は角度可変機構４３により、固定部３０と生体情報検出部１０との角度を調整し、固定部３０は生体情報検出部１０を的確に生体の測定対象とする位置に保持する。
【００７８】
以上説明したように、本実施の形態の生体情報検出装置５は、生体情報検出部１０を装着するとき、あるいは固定部３０を固定するときに、角度可変機構３５及び角度可変機構４３の少なくとも一方により生体情報検出部１０と固定部３０との角度を調整することにより、生体情報検出部１０を的確に生体の測定対象とする位置に接触させて保持することにより、安定に生体情報を検出することができる。
【００７９】
本実施の形態の生体情報検出装置は、前記接続部が、前記接続部と前記固定部との接続点及び前記接続部と前記生体情報検出部との接続点の間に、前記生体情報検出部と前記固定部との角度を可変にする角度可変機構を含む生体情報検出装置としてもよい。
【００８０】
本実施の形態の生体情報検出装置について、添付の図を参照して説明する。本実施の形態の生体情報検出装置の前記角度可変機構は図１から図４により説明した実施の形態の生体情報検出装置に適用可能であるが、代表例として、図４により説明した実施の形態の生体情報検出装置に適用した場合の構成を説明する。
【００８１】
図６は本実施の形態の生体情報検出装置の構成を示す図である。図６において、本実施の形態の生体情報検出装置５は、図４により説明した実施の形態の生体情報検出装置５の、接続部４０と固定部３０との接続点及び接続部４０と生体情報検出部１０との接続点の間に、生体情報検出部１０と固定部３０との角度を可変にする、角度可変機構４５を含む場合であり、角度可変機構４５以外の部分の構成、機能、動作は図４により説明した実施の形態の生体情報検出装置５と同様である。
【００８２】
図６に示す、角度可変機構４５は、接続部４０を中間部分で分割して回転軸で接続し、接続部４０を回転軸で接続した部分において屈曲させる構成としてもよい。
【００８３】
角度可変機構４５は接続部４０の中間部分の回転軸で接続した部分において、接続部４０を屈曲させて、生体情報検出部１０と固定部３０との角度を、図６の矢印Ｂで示す方向に可変にする機能を有する。
【００８４】
図６を用いて本実施の形態の生体情報検出装置５の動作を説明する。本実施の形態の生体情報検出装置５は、図１から図４により説明した実施の形態の生体情報検出装置５の動作の、生体情報検出部１０を装着する過程、あるいは固定部３０を固定する過程において、接続部４０の角度可変機構４５により、接続部４０を屈曲することにより、生体情報検出部１０と固定部３０との角度を調整することにより、生体情報検出部１０を的確に生体の一部の測定対象とする位置に保持する。
【００８５】
以上説明したように、本実施の形態の生体情報検出装置５は、生体情報検出部１０を装着するとき、あるいは固定部３０を固定するときに、角度可変機構４５により生体情報検出部１０と固定部３０との角度を調整することにより、生体情報検出部１０を的確に生体の測定対象とする位置に接触させて保持することにより、安定に生体情報を検出することができる。
【００８６】
本実施の形態の生体情報検出装置は、前記角度可変機構が、角度の可変を一時的に制限するラッチ機構を有する生体情報検出装置としてもよい。
【００８７】
本実施の形態の生体情報検出装置について、添付の図を参照して説明する。図７及び図８は本実施の形態の生体情報検出装置の構成を示す図である。図７において、本実施の形態の生体情報検出装置５は、図５により説明した実施の形態の生体情報検出装置５の角度可変機構３５及び角度可変機構４３が角度の可変を一時的に制限するラッチ機構３６及びラッチ機構４４を有する場合であり、ラッチ機構３６及びラッチ機構４４以外の部分の構成、機能、動作は図５により説明した実施の形態の生体情報検出装置５と同様である。
【００８８】
図７に示す、ラッチ機構３６及びラッチ機構４４は、各々ネジ付きのピンで構成し、角度可変機構３５及び角度可変機構４３の各々が回転軸を中心に回転する部分に外部からネジ機構によりピンを回転させて挿入して、摩擦により角度可変機構３５及び角度可変機構４３の角度可変機能を一時的に制限して、一時的に角度を固定する構成としてもよい。
【００８９】
ラッチ機構３６及びラッチ機構４４は、角度可変機構３５及び角度可変機構４３が角度の可変を一時的に制限する機能を有し、一時的に生体情報検出部１０と固定部３０との角度を固定できる。
【００９０】
図８において、本実施の形態の生体情報検出装置５は、図６により説明した実施の形態の生体情報検出装置５の角度可変機構４５が角度の可変を一時的に制限するラッチ機構４６を有する場合であり、ラッチ機構４６以外の部分の構成、機能、動作は図６により説明した実施の形態の生体情報検出装置５と同様である。
【００９１】
図８に示すラッチ機構４６は、ネジ付きのピンで構成し、角度可変機構４５が回転軸を中心に回転する部分に外部からネジ機構によりピンを回転させて挿入して、摩擦により角度可変機構４５の角度可変機能を一時的に制限して、一時的に角度を固定する構成としてもよい。
【００９２】
ラッチ機構４６は、角度可変機構４５が角度の可変を一時的に制限する機能を有し、一時的に生体情報検出部１０と固定部３０との角度を固定できる。
【００９３】
図７を用いて本実施の形態の生体情報検出装置５の動作を説明する。図７に示す、本実施の形態の生体情報検出装置５は、図５により説明した実施の形態の生体情情報検出装置５の動作の、生体情報検出部１０を装着する過程、あるいは固定部３０を固定する過程において、角度可変機構３５及び角度可変機構４３により、接続部４０と固定部３０との角度、及び接続部４０と生体情報検出部１０との角度を調整することにより、生体情報検出部１０と固定部３０との角度を調整した状態で、ラッチ機構３６及びラッチ機構４４により、角度可変機構３５及び角度可変機構４３の角度の可変を一時的に制限し、生体情報検出部１０と固定部３０の角度を一時的に固定する。
【００９４】
上記のように生体情報検出部１０と固定部３０との角度を一時的に固定した後で、状況の変化により、生体情報検出部１０と固定部３０との角度を再度調整する必要が生じた場合、ラッチ機構３６及びラッチ機構４４により、角度可変機構３５及び角度可変機構４３の角度の可変を一時的に制限する状態を解除して、生体情報検出部１０と固定部３０との角度を再度調整することにより、固定部３０は生体情報検出部１０を的確に生体の測定対象とする位置に保持する。
【００９５】
一方、本実施の形態の生体情報検出装置５が、接続部４０と固定部３０との接続点及び接続部４０と生体情報検出部１０との接続点のいずれかに、角度可変機構３５又は角度可変機構４３を含む場合は、本実施の形態の生体情報検出装置５は、角度可変機構３５又は角度可変機構４３により、固定部３０と生体情報検出部１０との角度を調整した状態で、ラッチ機構３６又はラッチ機構４４により、角度可変機構３５又は角度可変機構４３の角度の可変を一時的に制限し、生体情報検出部１０と固定部３０との角度を一時的に固定する。
【００９６】
上記のように生体情報検出部１０と固定部３０との角度を一時的に固定した後で、生体の姿勢の変化などにより、生体情報検出部１０と固定部３０との角度を再度調整する必要が生じた場合、ラッチ機構３６又はラッチ機構４４により、角度可変機構３５又は角度可変機構４３の角度の可変を一時的に制限する状態を解除して、生体情報検出部１０と固定部３０との角度を再度調整することにより、固定部３０は生体情報検出部１０を的確に生体の測定対象とする位置に保持する。
【００９７】
図８に示す本実施の形態の生体情報検出装置５の動作を説明する。図８に示す本実施の形態の生体情報検出装置５は、図６により説明した実施の形態の生体情情報検出装置５の動作の、生体情報検出部１０を装着する過程、あるいは固定部３０を固定する過程において、角度可変機構４５により、接続部４０を屈曲する角度を調整することにより、生体情報検出部１０と固定部３０との角度を調整した状態で、ラッチ機構４６により、角度可変機構４５の角度の可変を一時的に制限し、生体情報検出部１０と固定部３０の角度を一時的に固定する。
【００９８】
上記のように生体情報検出部１０と固定部３０との角度を一時的に固定した後で、状況の変化により、生体情報検出部１０と固定部３０との角度を再度調整する必要が生じた場合、ラッチ機構４６により、角度可変機構４５の角度の可変を一時的に制限する状態を解除して、生体情報検出部１０と固定部３０との角度を再度調整することにより、固定部３０は生体情報検出部１０を的確に生体の測定対象とする位置に保持する。
【００９９】
以上説明したように、本実施の形態の生体情報検出装置５は、生体情報検出部１０と固定部３０の角度を調整した状態で、ラッチ機構３６、ラッチ機構４４、ラッチ機構４６により、生体情報検出部１０と固定部３０との角度を一時的に固定して、その後、生体の姿勢の変化などにより再調整する必要が生じた場合、生体情報検出部１０と固定部３０との角度の一時的な固定を解除して、再調整できるので、生体情報検出部１０を生体の測定対象とする位置に的確に接触させ保持することにより、安定に生体情報を検出することができる。
【０１００】
本実施の形態の生体情報検出装置は、前記接続部が、前記生体情報検出部と前記固定部とのねじり角を可変にするねじり角可変機構を含む生体情報検出装置としてもよい。
本実施の形態の生体情報検出装置の前記ねじり角可変機構は図１から図８により説明した実施の形態の生体情報検出装置に適用可能であるが、代表例として、図７により説明した実施の形態の生体情報検出装置に適用した場合の構成を説明する。
【０１０１】
図９は本実施の形態の生体情報検出装置の構成を示す図である。図９において、本実施の形態の生体情報検出装置５は、図７により説明した実施の形態の生体情報検出装置５の接続部４０が、生体情報検出部１０と固定部３０とのねじり角を可変にするねじり角可変機構４７を含む場合であり、ねじり角可変機構４７以外の部分の構成、機能、動作は、図７により説明した実施の形態の生体情報検出装置５と同様である。
【０１０２】
図９に示す、本実施の形態の生体情報検出装置５のねじり角可変機構４７は、接続部４０の一方を円筒とし、接続部４０の他方を前記円筒より口径の小さな円筒として、接続部４０の一方の円筒の中に、接続部４０の他方の口径の小さな円筒を挿入し回転させることによりねじり角を可変する構成としてもよい。
【０１０３】
ねじり角可変機構４７は接続部４０の一方の端部と他方の端部の間におけるねじり角を、図９の矢印Ｃで示す方向へ可変にする機能を有する。
【０１０４】
図９を用いて本実施の形態の生体情報検出装置５の動作を説明する。本実施の形態の生体情報検出装置５は、図１から図８により説明した実施の形態の生体情報検出装置５の動作の、生体情報検出部１０を装着する過程、あるいは固定部３０を固定する過程する過程において、ねじり角可変機構４７により生体情報検出部１０と固定部３０とのねじり角を調整することにより、固定部３０は生体情報検出部１０を的確に生体の測定対象とする位置に保持する。
【０１０５】
以上説明したように、本実施の形態の生体情報検出装置５は、生体情報検出部１０を装着するとき、あるいは固定部３０を固定するときに、接続部４０のねじり角可変機構４７により生体情報検出部１０と固定部３０とのねじり角を調整することができるので、生体情報検出部１０を生体の測定対象とする位置に、的確に接触させ保持することにより、安定に生体情報を検出することができる。
【０１０６】
本実施の形態の生体情報検出装置は、前記ねじり角可変機構が、ねじり角の可変を一時的に制限するラッチ機構を有する生体情報検出装置としてもよい。
【０１０７】
図１０は本実施の形態の生体情報検出装置の構成を示す図である。図１０において、本実施の形態の生体情報検出装置５は、図９により説明した実施の形態の生体情報検出装置５のねじり角可変機構４７が、ねじり角の可変を一時的に制限するラッチ機構４８を有する場合であり、ラッチ機構４８以外の部分の構成、機能、動作は図９により説明した実施の形態の生体情報検出装置５と同様である。
【０１０８】
図１０に示す、ラッチ機構４８は、ネジ付きのピンで構成し、接続部４０の口径の大きな円筒の中に口径の小さな円筒を挿入し回転させてねじり角を可変にするねじり角可変機構４７に対して、前記口径の大きな円筒の外部からネジ機構によりピンを回転させて挿入して、内部の口径の小さな円筒との摩擦により、ねじり角可変機構４７のねじり角の可変を一時的に制限して、一時的に生体情報検出部１０と固定部３０のねじり角を固定する構成としてもよい。
【０１０９】
ラッチ機構４８はねじり角可変機構４７のねじり角の可変を一時的に制限し、接続部４０の一方の端部と他方の端部の間におけるねじり角を一時的に固定する機能を有する。
【０１１０】
図１０を用いて本実施の形態の生体情報検出装置５の動作を説明する。本実施の形態の生体情報検出装置５は、図９により説明した実施の形態の生体情報検出装置５の動作の、生体情報検出部１０を装着する過程、あるいは固定部３０を固定する過程において、ねじり角可変機構４７により生体情報検出部１０と固定部３０とのねじり角を調整した状態で、ラッチ機構４８によりねじり角可変機構４７がねじり角の可変を一時的に制限し、生体情報検出部１０と固定部３０とのねじり角度を一時的に固定する。
【０１１１】
上記のように生体情報検出部１０と固定部３０とのねじり角を一時的に固定した後で、生体の姿勢の変化などにより生体情報検出部１０と固定部３０とのねじり角を再調整する必要が生じた場合、ラッチ機構４８により、ねじり角可変機構４７のねじり角の可変を一時的に制限する状態を解除して、生体情報検出部１０と固定部３０とのねじり角を再度調整することにより、固定部３０は生体情報検出部１０を的確に生体の測定対象とする位置に保持する。
【０１１２】
以上説明したように、本実施の形態の生体情報検出装置５は、ラッチ機構４８により、生体情報検出部１０と固定部３０とのねじり角を一時的に固定して、その後、生体の姿勢の変化などにより再調整する必要が生じた場合、生体情報検出部１０と固定部３０のねじり角の一時的な固定を解除して、再調整できるので、生体情報検出部１０を生体の測定対象とする位置に的確に接触させ保持することにより、安定に生体情報を検出することができる。
【０１１３】
本実施の形態の生体情報検出装置は、前記接続部が、可塑性の材料で構成されている生体情報検出装置としてもよい。
【０１１４】
本実施の形態の生体情報検出装置は、図１から図１０により説明した実施の形態の生体情報検出装置５において、接続部４０が可塑性の材料で構成されている場合であり、本実施の形態の生体情報検出装置の前記接続部以外の部分の構成、機能、動作は図１から図１０により説明した実施の形態の生体情報検出装置５と同様である。従って、本実施の形態の生体情報検出装置の代表例として、図１０により説明した実施の形態の生体情報検出装置５を本実施の形態の生体情報検出装置として説明する
【０１１５】
図１０において、本実施の形態の生体情報検出装置５の接続部４０は可塑性の金属で構成してもよい。図１０に示す、接続部４０の機能を金属の可塑性で実現する。例えば、接続部が引き伸ばし、曲げ、ねじりが可能であり、生体情報検出部１０と固定部３０との距離の調整、角度の調整、ねじり角の調整を可能にする機能を持たせる。
【０１１６】
本実施の形態の生体情報検出装置５の動作を説明する。本実施の形態の生体情報検出装置５は、図１から図１０により説明した実施の形態の生体情報検出装置５の動作の、生体情報検出部１０を装着する過程、あるいは固定部３０を固定する過程において、固定部３０の形状を変化させて、生体情報検出部１０と固定部３０との距離、角度、ねじり角をさらに微妙に調整して、固定部３０は生体情報検出部１０を、より的確に生体の一部の測定対象とする位置に保持する。
【０１１７】
以上説明したように、本実施の形態の生体情報検出装置５は、接続部４０を可塑性の材料で構成することにより、生体情報検出部１０と固定部３０との距離、角度、ねじり角をさらに微妙に調整できるので、生体情報検出部１０を生体の測定対象とする位置に、容易に接触させ保持することにより、より安定に生体情報を検出することができる。
【０１１８】
本実施の形態の生体情報検出装置は、前記固定部が、前記クリップの前記対向する２つの先端部のうち少なくとも一方の先端部であって前記先端部の対向する側に突起部を有する生体情報検出装置としてもよい。
【０１１９】
本実施の形態の生体情報検出装置の前記突起部は図１から図１０により説明した実施の形態の生体情報検出装置に適用可能であるが、代表例として、図１０により説明した実施の形態の生体情報検出装置に適用した場合の構成を説明する。
【０１２０】
図１１は本実施の形態の生体情報検出装置の構成を示す図である。図１１において、本実施の形態の生体情報検出装置５は、図１０により説明した実施の形態の生体情報検出装置５の固定部３０が前記クリップの前記対向する２つの先端部のうち少なくとも一方の先端部であって前記先端部の対向する側に突起部３７を有する場合であり、突起部３７以外の部分の構成、機能、動作は図１０により説明した実施の形態の生体情報検出装置５と同様である。ここで、図１１においては、固定部３０のクリップ３３の内側に突起部３７が設けられている場合を示している。
【０１２１】
図１１に示す、突起部３７は一端をクリップ３３に固定された支柱の他の端に柔軟なクッションを設けた構成としてもよい。
【０１２２】
突起部３７は生体の一部、例えば、図２に示す耳甲介４付近に接触し、固定部３０と耳甲介４との間隔を適切に保ち、かつ生体情報検出部１０及び固定部３０の振動を防止して、例えば耳介への固定を安定化する機能を有する。
【０１２３】
図１１を用いて本実施の形態の生体情報検出装置５の動作を説明する。本実施の形態の生体情報検出装置５は、図１から図１０により説明した実施の形態の生体情報検出装置５の動作の、生体情報検出部１０を装着する過程、あるいは固定部３０を固定する過程する過程において、突起部３７は生体の一部、例えば、耳介の耳甲介４に接触し、固定部３０と耳甲介４との間隔を適切に保ち、かつ生体情報検出部１０及び固定部３０の振動を防止して、固定部３０を生体の一部へ固定する。
【０１２４】
以上説明したように、本実施の形態の生体情報検出装置５は、固定部３０が突起部３７を有することにより、固定部３０と生体の一部、例えば、耳介の耳甲介４との距離を適切に保ち、かつ、かつ生体情報検出部１０及び固定部３０の振動を防止して、生体の例えば耳介への固定を安定化するので、より安定に生体情報を検出することができる。
【０１２５】
本実施の形態の生体情報検出装置は、前記固定部が、前記生体情報検出部に接続される信号線又は空気パイプを保持する保持機構を含む生体情報検出装置としてもよい。
【０１２６】
本実施の形態の生体情報検出装置の前記保持機構は図１から図１１により説明した実施の形態の生体情報検出装置に適用可能であるが、代表例として、図１１により説明した実施の形態の生体情報検出装置に適用した場合の構成を説明する。
【０１２７】
図１２は本実施の形態の生体情報検出装置の構成を示す図である。図１２において、本実施の形態の生体情報検出装置５は、図１１により説明した実施の形態の生体情報検出装置５の固定部３０が生体情報検出部１０の生体センサ１３及び生体センサ１４と接続された信号線２６を保持する保持機構３８を有する場合であり、信号線２６及び保持機構３８以外の部分の構成、機能、動作は図１１により説明した実施の形態の生体情報検出装置５と同様である。
【０１２８】
図１２に示す、信号線２６は生体センサ１３及び生体センサ１４に接続され、接続部４０及び固定部３０に沿って配線され、保持機構３８はクリップ３３に設けられ、信号線２６を保持している。
【０１２９】
信号線２６は生体センサ１３及び生体センサ１４を駆動する信号を伝達し、あるいは生体センサ１３及び生体センサ１４が検出した生体情報の信号を伝達する機能を有し、さらに生体センサ１３及び生体センサ１４へ電力を供給する機能を有してもよい。
【０１３０】
保持機構３８は生体情報検出部１０の生体センサ１３及び生体センサ１４に接続される信号線２６を固定部３０に沿って保持する機能を有し、信号線２６の振動による破断を防止し、また、不要な雑音の混入を防止することができる。
【０１３１】
図１２を用いて本実施の形態の生体情報検出装置５の動作を説明する。本実施の形態の生体情報検出装置５は、図１から図１１により説明した実施の形態の生体情報検出装置５の動作において、信号線２６は生体センサ１３及び生体センサ１４を駆動する信号、あるいは生体センサ１３及び生体センサ１４が検出した生体情報の信号を伝達し、あるいは生体センサ１３及び生体センサ１４へ電力を供給し、保持機構３８は生体センサ１３及び生体センサ１４に接続される信号線２６を固定部３０に沿って保持する。
【０１３２】
以上説明したように、本実施の形態の生体情報検出装置５は、固定部３０が生体情報検出部１０と接続された信号線２６を保持する保持機構３８を有することにより、信号線２６を固定部３０に保持し、信号線２６の振動による破断を防止し、さらに不要な雑音の混入を防止するので、安定に生体情報を検出できる。信号線２６に替えて又は信号線２６と共に空気パイプを固定部３０に保持する場合も、同様に不要な雑音の混入を防止するので、安定に生体情報を検出することができる。
【０１３３】
本実施の形態の生体情報検出装置は、前記固定部が、前記生体情報検出部に電力を供給する電源機構を含む生体情報検出装置としてもよい。
【０１３４】
本実施の形態の生体情報検出装置の前記電源機構は図１から図１２により説明した実施の形態の生体情報検出装置に適用可能であるが、代表例として、図１２により説明した実施の形態の生体情報検出装置に適用した場合の構成を説明する。
【０１３５】
図１３は本実施の形態の生体情報検出装置の構成を示す図である。図１３において、本実施の形態の生体情報検出装置５は、図１２により説明した実施の形態の生体情報検出装置５の固定部３０が体情報検出部１０に電力を供給する電力線２７及び電源機構３９を含む場合であり、電力線２７及び電源機構３９以外の部分の構成、機能、動作は図１２により説明した実施の形態の生体情報検出装置５と同様である。
【０１３６】
図１３に示す、電源機構３９はクリップ３４に設けられ、電力線２７は電源機構３９から信号線２６と共に保持機構３８に保持され、生体センサ１３及び生体センサ１４へ配線されている。
【０１３７】
電源機構３９は生体センサ１３及び生体センサ１４へ電力を供給する機能を有し、電力線２７は電源機構３９の供給する電力を生体センサ１３及び生体センサ１４へ給電する機能を有する。
【０１３８】
図１３を用いて本実施の形態の生体情報検出装置５の動作を説明する。本実施の形態の生体情報検出装置５は、図１から図１２により説明した実施の形態の生体情報検出装置５の動作の、生体情報検出装置５が生体情報を検出する過程において、電源機構３９は生体センサ１３又は生体センサ１４へ電力を供給し、電力線２７は電源機構３９の供給する電力を生体センサ１３又は生体センサ１４へ給電する。
【０１３９】
以上説明したように、本実施の形態の生体情報検出装置５は、固定部３０が体情報検出部１０に電力を供給する電源機構３９を含むことにより、継続的に生体情報を検出することができる。
【０１４０】
本実施の形態の生体情報検出装置は、前記生体センサが、外部に光を照射する発光素子と、前記照射された光が外部で散乱した光又は外部を透過した光を受光する受光素子と、を含む生体情報検出装置としてもよい。
【０１４１】
本実施の形態の生体情報検出装置の前記生体センサ以外の部分の構成、機能、動作は図１から図１３により説明した実施の形態の生体情報検出装置５と同様である。
【０１４２】
図１４（Ａ）、図１４（Ｂ）は本実施の形態の生体情報検出装置の前記生体センサの構成を示す図である。
【０１４３】
図１４（Ａ）、図１４（Ｂ）に示すように、本実施の形態の生体情報検出装置の前記生体センサには２種類の構成があり、図１４（Ａ）に示す生体センサ６は発光素子２１及び受光素子２３を内蔵し、図１４（Ｂ）に示す生体センサ７は発光素子２１を内蔵し、生体センサ８は受光素子２３を内蔵する。
【０１４４】
図１４（Ａ）に示す、生体センサ６は図１から図１３により説明した生体情報検出部１０の生体センサ１３又は生体センサ１４として適用でき、また、図１４（Ｂ）に示す生体センサ７及び生体センサ８は一組として、図１から図１３により説明した生体情報検出部１０の生体センサ１３及び生体センサ１４、あるいは生体センサ１４及び生体センサ１３として適用できる。
【０１４５】
図１４（Ａ）において、生体センサ６は筐体１５と生体接触面１６に囲まれる内部に発光素子２１及び受光素子２３を内蔵し、生体接触面１６は生体１へ接触し、発光素子２１は外部、すなわち生体１へ照射光２２を照射し、受光素子２３は照射光２２が外部、すなわち生体１により散乱された散乱光２４を受光する位置に設けられている。図１４（Ａ）、図１４（Ｂ）及び以下に示す図においては、発光素子２１の駆動回路、受光素子２３の受信増幅器などの通常の技術により実現できる部分は表示していない。
【０１４６】
図１４（Ｂ）において、生体センサ７は筐体１５と生体接触面１６に囲まれる内部に発光素子２１を内蔵し、生体接触面１６は生体１へ接触し、発光素子２１は外部、すなわち生体１へ照射光２２を照射する位置に設けられている。
【０１４７】
図１４（Ｂ）において、生体センサ８は筐体１５と生体接触面１６に囲まれる内部に受光素子２３を内蔵し、生体接触面１６は生体１へ接触し、受光素子２３は、生体センサ７の発光素子２１が生体１へ照射した照射光２２が生体１を透過した散乱光２４を受光する位置に設けられている。上記のように、通常、生体センサ７及び生体センサ８は一組として使用される。
【０１４８】
図１４（Ａ）、図１４（Ｂ）において、筐体１５は生体接触面１６を保持し、発光素子２１及び受光素子２３の少なくとも一方を搭載する機能を有する。生体接触面１６は生体１に接触し、発光素子２１及び受光素子２３の少なくとも一方を保護する機能を有する。発光素子２１は照射光２２を外部へ照射する機能を有し、受光素子２３は発光素子２１が外部へ照射した照射光２２が外部で散乱した又は透過した散乱光２４を受光し、生体情報を検出する機能を有する。
【０１４９】
図１４（Ａ）を用いて本実施の形態の生体情報検出装置に生体センサ６を適用した場合の動作を説明する。本実施の形態の生体情報検出装置は、図１から図１３により説明した実施の形態の生体情報検出装置５の動作の、生体情報検出装置５が生体情報を検出する過程において、生体センサ６の生体接触面１６は生体に接触し、発光素子２１は照射光２２を前記生体へ照射し、受光素子２３は発光素子２１が前記生体へ照射した照射光２２が前記生体で散乱した散乱光２４を受光し、受光した散乱光２４から、前記生体の、例えば動脈の脈波、あるいは動脈の内部の血流などの生体情報を高精度に検出する。
【０１５０】
次に、図１４（Ｂ）を用いて本実施の形態の生体情報検出装置に生体センサ７及び生体センサ８を適用した場合の動作を説明する。本実施の形態の生体情報検出装置は、図１から図１３により説明した実施の形態の生体情報検出装置５の動作の、生体情報検出装置５が生体情報を検出する過程において、生体センサ７及び生体センサ８の生体接触面１６は生体を挟むように接触して対向して装着され、生体センサ７の発光素子２１は照射光２２を前記生体へ照射し、生体センサ８の受光素子２３は生体センサ７の発光素子２１が前記生体へ照射した照射光２２が前記生体を透過した散乱光２４を受光し、受光した散乱光２４から、前記生体の、例えば動脈の脈波、あるいは動脈の内部の血流などの生体情報を高精度に検出する。
【０１５１】
以上説明したように、本実施の形態の生体情報検出装置は、生体センサ６、あるいは生体センサ７及び生体センサ８が、外部の生体に照射光２２を照射する発光素子２１と、照射光２２が外部の前記生体で散乱した散乱光２４又は外部の前記生体を透過した散乱光２４を受光する受光素子２３とを含むことにより、前記生体の、例えば動脈の脈波、あるいは動脈の内部の血流などの高精度に生体情報を検出することができる。
【０１５２】
本実施の形態の生体情報検出装置は、前記生体センサが、空気によって膨張するカフと、当該カフに内蔵され外部に光を照射する発光素子と、前記カフに内蔵され前記照射された光が外部で散乱した光を受光する受光素子と、を含む生体情報検出装置としてもよい。
【０１５３】
図１５は本実施の形態の生体情報検出装置の前記生体情報検出部のカフの構成を示す図である。ここで、図１５に示すカフ１８及びクッション１９は、生体の耳珠２を挟むようにして接触している状態を示している。
【０１５４】
図１５において、本実施の形態の生体情報検出装置は、図１から図１３により説明した実施の形態の生体情報検出装置５の生体センサ１４及び生体センサ１３を、カフ１８及びクッション１９により置き換えた場合であり、本実施の形態の生体情報検出装置のカフ１８及びクッション１９以外の部分の構成、機能、動作は、図１から図１３により説明した実施の形態の生体情報検出装置５と同様である。
【０１５５】
図１５において、カフ１８はアーム１２のアーム１１と対向する面に設けられ、クッション１９はアーム１１のアーム１２と対向する面に設けられている。カフ１８は筐体１５と生体接触面１６とにより構成される空間の内部に発光素子２１及び受光素子２３を内蔵し、さらに筐体１５に設けられた空気パイプ２０により構成されている。カフ１８は空気パイプ２０により筐体１５に供給される空気の圧力により耳珠２を圧迫する機能を有する。筐体１５は生体接触面１６との間の気密を保ち、生体接触面１６を保持し、発光素子２１及び受光素子２３を搭載する機能を有する。生体接触面１６は柔軟な材料により構成され、筐体１５の内部に供給される空気の圧力により耳珠２を圧迫する機能を有する。空気パイプ２０は筐体１５の内部へ空気を供給する機能を有し、さらに筐体１５の内部の空気を排気する機能を有することもある。発光素子２１及び受光素子２３の機能は図１４（Ａ）により説明した発光素子２１及び受光素子２３の機能と同様である。クッション１９はアーム１１の耳珠２への接触感を快適に保つ機能を有する。
【０１５６】
図１５を用いて本実施の形態の生体情報検出装置の動作を説明する。本実施の形態の生体情報検出装置は、図１から図１３により説明した実施の形態の生体情報検出装置５の動作の、生体情報を検出する段階において、カフ１８は空気パイプ２０により内部に空気を供給され増加する空気の圧力により耳珠２を圧迫する過程、あるいは空気パイプ２０により内部の空気を排気され減少する圧力で耳珠２を圧迫する過程において、発光素子２１は照射光２２を耳珠２へ照射し、照射光２２が耳珠２の動脈あるいは動脈の血球により散乱される散乱光２４を受光し、耳珠２の動脈の脈波、あるいは血流などの生体情報を高精度に検出する。
【０１５７】
以上説明したように、本実施の形態の生体情報検出装置のカフ１８は内部の空気の圧力を増加させる過程、あるいは内部の空気の圧力を減少させる過程において、発光素子２１及び受光素子２３により、生体の耳珠２の、例えば動脈の脈波、あるいは血流などの生体情報を高精度に検出することができる。
【０１５８】
本実施の形態の生体情報検出装置は、前記生体センサが、前記１対のアームにそれぞれ配置され空気によって膨張するカフと、前記一方のカフに内蔵され外部に光を照射する発光素子と、前記他方のカフに内蔵され前記照射された光が外部を透過した光を受光する受光素子と、を含む生体情報検出装置としてもよい。
【０１５９】
図１６は本実施の形態の生体情報検出装置の前記生体情報検出部のカフの構成を示す図である。ここで、図１６に示すカフ１７及びカフ１８は、生体の耳珠２を挟むようにして接触している状態を示している。
【０１６０】
図１６において、本実施の形態の生体情報検出装置は、図１から図１３により説明した実施の形態の生体情報検出装置５の生体センサ１３及び生体センサ１４を、カフ１７及びカフ１８により置き換えた場合であり、本実施の形態の生体情報検出装置のカフ１７及びカフ１８以外の部分の構成、機能、動作は、図１から図１３により説明した実施の形態の生体情報検出装置５と同様である。
【０１６１】
図１６に示す、カフ１７はアーム１１のアーム１２と対向する面に設けられ、カフ１８はアーム１２のアーム１１と対向する面に設けられている。カフ１７は生体接触面１６と筐体１５とにより構成される空間の内部に発光素子２１を内蔵し、カフ１８は生体接触面１６と筐体１５とにより構成される空間の内部に受光素子２３を内蔵している。また、カフ１７の筐体１５及びカフ１８の筐体１５は空気パイプ２０により相互に接続され共通に空気を供給され、あるいは共通に空気を排気されるように構成されている。
【０１６２】
カフ１７及びカフ１８は空気パイプ２０により各々の筐体１５に供給される空気の圧力により耳珠２を両面から圧迫する機能を有する。カフ１７及びカフ１８の生体接触面１６と筐体１５の機能は図１５により説明したカフ１８の場合と同様である。
【０１６３】
空気パイプ２０はカフ１７及びカフ１８に空気を供給する機能を有し、さらにカフ１７及びカフ１８の空気を排気する機能を有することもある。
【０１６４】
カフ１７に内蔵される発光素子２１は照射光２２を外部、すなわち耳珠２へ照射する機能を有し、カフ１８に内蔵される受光素子２３は発光素子２１が外部、すなわち耳珠２へ照射した照射光２２が耳珠２を透過した散乱光２４を受光し生体情報を検出する機能を有する。
【０１６５】
図１６を用いて本実施の形態の生体情報検出装置は、図１から図１３により説明した実施の形態の生体情報検出装置５の動作の、生体情報を検出する段階において、カフ１７及びカフ１８は空気パイプ２０により内部に空気を供給され増加する空気の圧力により耳珠２を圧迫する過程、あるいは空気パイプ２０により内部の空気を排気され減少する圧力で耳珠２を圧迫する過程において、カフ１７に内蔵される発光素子２１は照射光２２を耳珠２へ照射し、カフ１８に内蔵される受光素子２３は照射光２２が耳珠２を透過した散乱光２４を受光し、脈波、あるいは血流などの生体情報を高精度に検出する。
【０１６６】
以上説明したように、本実施の形態の生体情報検出装置のカフ１７及びカフ１８の内部の空気の圧力を増加させる過程、あるいはカフ１７及びカフ１８の内部の空気の圧力を減少させる過程において、カフ１７及びカフ１８の各々に内蔵する発光素子２１及び受光素子２３により、耳珠２の、例えば動脈の脈波、あるいは血流などの生体情報を高精度に検出することができる。
【産業上の利用可能性】
【０１６７】
本発明の生体情報計測装置はセンサの種類により脈拍、血圧、血流などを長時間安定して測定することができるので、私生活において、健康管理や美容チェックの用途にも適用できる。
【図面の簡単な説明】
【０１６８】
【図１】本発明の生体情報検出装置の説明図である。
【図２】本発明の生体情報検出装置の耳介への装着状態の説明図である。
【図３】本発明の生体情報検出装置の説明図である。
【図４】本発明の生体情報検出装置の説明図である。
【図５】本発明の生体情報検出装置の説明図である。
【図６】本発明の生体情報検出装置の説明図である。
【図７】本発明の生体情報検出装置の説明図である。
【図８】本発明の生体情報検出装置の説明図である。
【図９】本発明の生体情報検出装置の説明図である。
【図１０】本発明の生体情報検出装置の説明図である。
【図１１】本発明の生体情報検出装置の説明図である。
【図１２】本発明の生体情報検出装置の説明図である。
【図１３】本発明の生体情報検出装置の説明図である。
【図１４】本発明の生体情報検出装置の生体センサの説明図である。
【図１５】本発明の生体情報検出装置のカフの構成の説明図である。
【図１６】本発明の生体情報検出装置のカフの構成の説明図である。
【符号の説明】
【０１６９】
１  生体
２  耳珠
３  耳輪
４  耳甲介
５  生体情報検出装置
６  生体センサ
７  生体センサ
８  生体センサ
１０  生体情報検出部
１１  アーム
１２  アーム
１３  生体センサ
１４  生体センサ
１５  筐体
１６  生体接触面
１７  カフ
１８  カフ
１９  クッション
２０  空気パイプ
２１  発光素子
２２  照射光
２３  受光素子
２４  散乱光
２６  信号線
２７  電力線
３０  固定部
３１  持ち手
３２  持ち手
３３  クリップ
３４  クリップ
３５  角度可変機構
３６  ラッチ機構
３７  突起部
３８  保持機構
３９  電源機構
４０  接続部
４１  距離可変機構
４２  ラッチ機構
４３  角度可変機構
４４  ラッチ機構
４５  角度可変機構
４６  ラッチ機構
４７  ねじり角可変機構
４８  ラッチ機構
５１  クッション
５２  クッション
【図１】
2006102158.tif 000003
【図２】
2006102158.tif 000004
【図３】
2006102158.tif 000005
【図４】
2006102158.tif 000006
【図５】
2006102158.tif 000007
【図６】
2006102158.tif 000008
【図７】
2006102158.tif 000009
【図８】
2006102158.tif 000010
【図９】
2006102158.tif 000011
【図１０】
2006102158.tif 000012
【図１１】
2006102158.tif 000013
【図１２】
2006102158.tif 000014
【図１３】
2006102158.tif 000015
【図１４】
2006102158.tif 000016
【図１５】
2006102158.tif 000017
【図１６】
2006102158.tif 000018